(57)【要約】  本発明の基地局は、セルを管理し、前記セルに隣接するセルを管理する基地局である周辺基地局と通信可能な基地局であって、前記管理するセルに、該セルを識別するセル識別子を割り当てる場合、該割り当て予定のセル識別子の割り当て可否の判定要求を、前記周辺基地局に出力し、前記判定要求に応じて、前記割り当て予定のセル識別子の割り当てを許可する旨が前記周辺基地局から出力されると、前記割り当て予定のセル識別子を前記管理するセルに割り当て、前記周辺基地局から割り当て予定のセル識別子の割り当て可否の判定要求が出力されると、前記管理するセルに隣接するセルへのセル識別子の割り当て状況に応じて、前記割り当て予定のセル識別子の割り当ての可否を判定し、判定結果を前記判定要求の要求元の前記周辺基地局に出力する。
2014192192.tif 000002
【特許請求の範囲】
【請求項１】
セルを管理する複数の基地局のそれぞれが、管理するセルに隣接するセルを管理する基地局と通信可能な無線通信システムであって、
前記複数の基地局の各々は、
管理するセルに、該セルを識別するセル識別子を割り当てる場合、該割り当て予定のセル識別子の割り当て可否の判定要求を、前記セルに隣接するセルを管理する基地局である周辺基地局に出力し、前記判定要求に応じて、前記割り当て予定のセル識別子の割り当てを許可する旨が前記周辺基地局から出力されると、前記割り当て予定のセル識別子を前記管理するセルに割り当て、
前記周辺基地局から割り当て予定のセル識別子の割り当て可否の判定要求が出力されると、前記管理するセルに隣接するセルへのセル識別子の割り当て状況に応じて、前記割り当て予定のセル識別子の割り当ての可否を判定し、判定結果を前記判定要求の要求元の前記周辺基地局に出力する制御部を有することを特徴とする無線通信システム。
【請求項２】
請求項１記載の無線通信システムにおいて、
前記制御部は、
前記管理するセルに割り当てたセル識別子を示すセル情報を前記周辺基地局に出力し、
前記割り当て予定のセル識別子の割り当て可否の判定要求が出力されると、該割り当て予定のセル識別子が、前記周辺基地局から出力されたセル情報に示されるセル識別子、および、前記要求元以外の周辺基地局から割り当て可否の判定が要求されているセル識別子と一致しない場合には、割り当てを許可することを特徴とする無線通信システム。
【請求項３】
請求項１または２記載の無線通信システムにおいて、
前記制御部は、前記周辺基地局から出力されたセル識別情報に基づいて、前記管理するセルに割り当て予定のセル識別子を決定することを特徴とする無線通信システム。
【請求項４】
セルを管理し、前記セルに隣接するセルを管理する基地局である周辺基地局と通信可能な基地局であって、
前記管理するセルに、該セルを識別するセル識別子を割り当てる場合、該割り当て予定のセル識別子の割り当て可否の判定要求を、前記周辺基地局に出力し、前記判定要求に応じて、前記割り当て予定のセル識別子の割り当てを許可する旨が前記周辺基地局から出力されると、前記割り当て予定のセル識別子を前記管理するセルに割り当て、
前記周辺基地局から割り当て予定のセル識別子の割り当て可否の判定要求が出力されると、前記管理するセルに隣接するセルへのセル識別子の割り当て状況に応じて、前記割り当て予定のセル識別子の割り当ての可否を判定し、判定結果を前記判定要求の要求元の前記周辺基地局に出力する制御部を有することを特徴とする基地局。
【請求項５】
請求項４記載の基地局において、
前記制御部は、
前記管理するセルに割り当てたセル識別子を示すセル情報を前記周辺基地局に出力し、
前記割り当て予定のセル識別子の割り当て可否の判定要求が出力されると、該割り当て予定のセル識別子が、前記周辺基地局から出力されたセル情報に示されるセル識別子、および、前記要求元以外の周辺基地局から割り当て可否の判定が要求されているセル識別子と一致しない場合には、割り当てを許可することを特徴とする基地局。
【請求項６】
請求項４または５記載の基地局において、
前記制御部は、前記周辺基地局から出力されたセル識別情報に基づいて、前記管理するセルに割り当て予定のセル識別子を決定することを特徴とする基地局。
【請求項７】
セルを管理し、前記セルに隣接するセルを管理する基地局である周辺基地局と通信可能な基地局の制御方法であって、
前記管理するセルに、該セルを識別するセル識別子を割り当てる場合、該割り当て予定のセル識別子の割り当て可否の判定要求を、前記周辺基地局に出力し、前記判定要求に応じて、前記割り当て予定のセル識別子の割り当てを許可する旨が前記周辺基地局から出力されると、前記割り当て予定のセル識別子を前記管理するセルに割り当て、
前記周辺基地局から割り当て予定のセル識別子の割り当て可否の判定要求が出力されると、前記管理するセルに隣接するセルへのセル識別子の割り当て状況に応じて、前記割り当て予定のセル識別子の割り当ての可否を判定し、判定結果を前記判定要求の要求元の前記周辺基地局に出力することを特徴とする制御方法。
【請求項８】
請求項７記載の制御方法において、
前記管理するセルに割り当てたセル識別子を示すセル情報を前記周辺基地局に出力し、
前記割り当て予定のセル識別子の割り当て可否の判定要求が出力されると、該割り当て予定のセル識別子が、前記周辺基地局から出力されたセル情報に示されるセル識別子、および、前記要求元以外の基地局から割り当て可否の判定が要求されているセル識別子と一致しない場合には、割り当てを許可することを特徴とする制御方法。
【請求項９】
請求項７または８記載の制御方法において、
前記周辺基地局から出力されたセル識別情報に基づいて、前記管理するセルに割り当て予定のセル識別子を決定することを特徴とする制御方法。
【発明の詳細な説明】
【技術分野】
【０００１】
本発明は、無線通信システム、基地局およびその制御方法に関する。
【背景技術】
【０００２】
ＬＴＥ（Ｌｏｎｇ  Ｔｅｒｍ  Ｅｖｏｌｕｔｉｏｎ）などのセルラ無線通信システムにおいては、基地局が管理するセルそれぞれを識別するために、各セルに物理セル識別子（ＰＣＩ：Ｐｈｙｓｉｃａｌ  Ｃｅｌｌ  Ｉｄｅｎｔｉｔｉｅｓ）が割り当てられる（例えば、特許文献１（特開２０１３−２１４５０号公報）参照）。ＰＣＩは、例えば、移動局が接続するセルを切り替えるハンドオーバを行う際などに、セルを識別するために用いられる。そのため、近くに配置された複数のセルに同じＰＣＩが割り当てられるＰＣＩ競合（ＰＣＩ  Ｃｏｌｌｕｓｉｏｎ）が起こらないように、各セルにＰＣＩを割り当てる必要がある。【０００３】
以下では、図１に示すように、ＰＣＩが割り当てられた複数のセル（セル＃１〜＃１８）が配置されている状態で、セル＃１９を新たに配置する場合を例として、一般的なＰＣＩの割り当て方法による基地局の動作を、図２に示すシーケンス図を参照して説明する。なお、以下では、セル＃１９を管理する基地局を新設基地局と称し、セル＃１９に隣接する隣接セル（セル＃１〜＃６）を管理する基地局を周辺基地局と称する。【０００４】
周辺基地局は、管理するセルの隣接セルを管理する基地局から、その隣接セルに割り当てられたＰＣＩを示すセル情報を取得している（ステップＳ１１）。例えば、セル＃６を管理する基地局は、セル＃１，＃５，＃７，＃１７，＃１８を管理する基地局からセル情報を取得している。【０００５】
次に、周辺基地局は、新設基地局からのセル＃１９の隣接セルについての問い合わせを受け付けると、取得しているセル情報に基づいて、隣接セルに割り当てられたＰＣＩを示す隣接セルリストを作成し、新設基地局に出力する（ステップＳ１２）。【０００６】
新設基地局は、隣接セルリストに基づいて、セル＃１９に割り当てるＰＣＩの候補を決定する（ステップＳ１３）。ここで、新設基地局は、隣接セルリストに示されるＰＣＩ以外のＰＣＩを割り当て候補のＰＣＩとして決定する。なお、周辺基地局から取得した隣接セルリストには、セル＃１９の隣接セル（セル＃１〜＃６）、および、その隣接セルの隣接セル（セル＃７〜＃１８）に割り当てられたＰＣＩ（ＰＣＩ＃０〜＃１７）が含まれる。したがって、新設基地局は、セル＃１〜＃１８に割り当てられていない、例えば、ＰＣＩ＃１８を割り当て候補のＰＣＩとして決定する。【０００７】
次に、新設基地局は、割り当て候補として決定したＰＣＩ＃１８をセル＃１９に割り当て（ステップＳ１４）、ＰＣＩ＃１８をセル＃１９に割り当てた旨を示すＰＣＩ割り当て通知を周辺基地局に出力する（ステップＳ１５）。【０００８】
このように、新設基地局は、周辺基地局から取得した隣接セルリストに含まれないＰＣＩを割り当て対象セルに割り当てることで、割り当て対象セルの隣接セル、および、その隣接セルの隣接セルとの間で、ＰＣＩ競合が起こるのを防ぐことができる。【０００９】
なお、図１および図２においては、セル＃１９を新たに配置する例を用いて説明したが、セル＃１９が既に配置済みであり、セル＃１９のＰＣＩを変更する場合にも、セル＃１９のＰＣＩを変更する基地局（以下、変更基地局と称する）は、図２に示す新設基地局と同様の処理により、ＰＣＩを変更することができる。
【先行技術文献】
【特許文献】
【００１０】
【特許文献１】特開２０１３−２１４５０号公報
【発明の概要】
【発明が解決しようとする課題】
【００１１】
上述した、一般的なＰＣＩの割り当て方法においては、基地局は、管理するセルにＰＣＩを割り当てる場合、周辺基地局から取得した隣接セルリストに基づいて個々に、管理するセルに割り当てるＰＣＩを決定する。また、基地局が管理するセルに割り当てを開始してから、実際にＰＣＩが割り当てられるまでに、数時間程度の時間がかかることもある。そのため、図３に示すように、隣接するセル＃１８とセル＃２０とに、同じＰＣＩ（ＰＣＩ＃１７）が割り当ててしまい、ＰＣＩ競合が起こることがあるという問題がある。【００１２】
ＰＣＩ競合が起こると、ＰＣＩ競合が起こっているセルに割り当てられるＰＣＩの変更が行われる。例えば、図３においては、セル＃１８に割り当てられるＰＣＩの変更が行われる。以下では、セル＃１８に割り当てられるＰＣＩが、ＰＣＩ＃１７からＰＣＩ＃１８に変更されるものとする。【００１３】
上述した、一般的なＰＣＩの割り当て方法においては、セル＃１８に割り当てられるＰＣＩの変更に伴って、さらにＰＣＩ競合が起こってしまうことがあるという問題がある。以下、この問題について、図３を参照して説明する。【００１４】
図３において、セル＃１８を管理する基地局は、セル＃１８とセル＃２０との間でＰＣＩ競合が起こっているため、セル＃１８に割り当てるＰＣＩをＰＣＩ＃１７からＰＣＩ＃１８に変更しようとしているとする。【００１５】
ここで、セル＃６を管理する基地局がセル＃１８のセル情報を取得した時点で、セル＃１８にＰＣＩ＃１７が割り当てられていると、セル＃６を管理する基地局が作成する隣接セルリストにおいては、セル＃１８に割り当てられたＰＣＩはＰＣＩ＃１７となる。そのため、新設／変更基地局（セル＃１９を管理する基地局）が、この隣接セルリストに基づいて、ＰＣＩ＃１８をセル＃１９に割り当てると、セル＃１８を管理する基地局によるセル＃１８に割り当てるＰＣＩの変更により、セル＃１８とセル＃１９との間でＰＣＩ競合が起こってしまう。【００１６】
このように、上述した、一般的なＰＣＩの割り当て方法においては、新設／変更基地局が、割り当て候補として決定したＰＣＩの割り当ての可否を周辺基地局に確認することなく、割り当て対象のセルに割り当ててしまうため、ＰＣＩ競合が起こる可能性がある。【００１７】
本発明の目的は、ＰＣＩ競合が起こる可能性を低減することができる無線通信システム、基地局およびその制御方法を提供することにある。
【課題を解決するための手段】
【００１８】
上記目的を達成するために本発明の無線通信システムは、
セルを管理する複数の基地局のそれぞれが、管理するセルに隣接するセルを管理する基地局と通信可能な無線通信システムであって、
前記複数の基地局の各々は、
管理するセルに、該セルを識別するセル識別子を割り当てる場合、該割り当て予定のセル識別子の割り当て可否の判定要求を、前記セルに隣接するセルを管理する基地局である周辺基地局に出力し、前記判定要求に応じて、前記割り当て予定のセル識別子の割り当てを許可する旨が前記周辺基地局から出力されると、前記割り当て予定のセル識別子を前記管理するセルに割り当て、
前記周辺基地局から割り当て予定のセル識別子の割り当て可否の判定要求が出力されると、前記管理するセルに隣接するセルへのセル識別子の割り当て状況に応じて、前記割り当て予定のセル識別子の割り当ての可否を判定し、判定結果を前記判定要求の要求元の前記周辺基地局に出力する制御部を有する。【００１９】
上記目的を達成するために本発明の基地局は、
セルを管理し、前記セルに隣接するセルを管理する基地局である周辺基地局と通信可能な基地局であって、
前記管理するセルに、該セルを識別するセル識別子を割り当てる場合、該割り当て予定のセル識別子の割り当て可否の判定要求を、前記周辺基地局に出力し、前記判定要求に応じて、前記割り当て予定のセル識別子の割り当てを許可する旨が前記周辺基地局から出力されると、前記割り当て予定のセル識別子を前記管理するセルに割り当て、
前記周辺基地局から割り当て予定のセル識別子の割り当て可否の判定要求が出力されると、前記管理するセルに隣接するセルへのセル識別子の割り当て状況に応じて、前記割り当て予定のセル識別子の割り当ての可否を判定し、判定結果を前記判定要求の要求元の前記周辺基地局に出力する制御部を有する。【００２０】
上記目的を達成するために本発明の制御方法は、
セルを管理し、前記セルに隣接するセルを管理する基地局である周辺基地局と通信可能な基地局の制御方法であって、
前記管理するセルに、該セルを識別するセル識別子を割り当てる場合、該割り当て予定のセル識別子の割り当て可否の判定要求を、前記周辺基地局に出力し、前記判定要求に応じて、前記割り当て予定のセル識別子の割り当てを許可する旨が前記周辺基地局から出力されると、前記割り当て予定のセル識別子を前記管理するセルに割り当て、
前記周辺基地局から割り当て予定のセル識別子の割り当て可否の判定要求が出力されると、前記管理するセルに隣接するセルへのセル識別子の割り当て状況に応じて、前記割り当て予定のセル識別子の割り当ての可否を判定し、判定結果を前記判定要求の要求元の前記周辺基地局に出力する。【００２１】
本発明によれば、ＰＣＩ競合が起こる可能性を低減することができる。
【図面の簡単な説明】
【００２２】
【図１】関連するＰＣＩの割り当て方法によるＰＣＩの割り当ての一例を示す図である。
【図２】関連するＰＣＩの割り当て方法によるＰＣＩの割り当て時の基地局の動作の一例を示すシーケンス図である。
【図３】関連するＰＣＩの割り当て方法によるＰＣＩの割り当ての一例を示す図である。
【図４】本発明の一実施形態の無線通信システムの要部構成を示す図である。
【図５】図４に示す基地局の要部構成を示すブロック図である。
【図６】図４に示す基地局のＰＣＩ割り当て時の動作の一例を示すシーケンス図である。
【図７】図４に示す基地局のＰＣＩ割り当て時の動作の一例を示すシーケンス図である。
【図８】図４に示す基地局のＰＣＩ割り当て時の動作の一例を示すシーケンス図である。
【図９】図４に示す無線通信システムにおけるＰＣＩの割り当ての一例を示す図である。
【図１０】図４に示す無線通信システムにおけるＰＣＩの割り当ての一例を示す図である。
【発明を実施するための形態】
【００２３】
以下に、本発明を実施するための形態について図面を参照して説明する。
【００２４】
図４は、本発明の一実施形態の無線通信システム１０の要部構成を示す図である。
【００２５】
図４に示す通信システム１０は、複数の基地局（ｅＮｏｄｅＢ）１００を備える。
【００２６】
基地局１００は、所定の通信エリアであるセル１００Ａを管理し、セル１００Ａ内に在圏する移動局（不図示）との間で無線通信を行う。なお、図４においては、基地局１００は、１つのセル１００Ａを管理する例を示しているが、複数のセル１００Ａを管理してもよい。
【００２７】
基地局１００は、他の基地局１００とＸ２インタフェースを介して通信可能である。また、基地局１００は、ネットワーク側の上位装置（不図示）と接続されている。
【００２８】
図５は、基地局１００の要部構成を示すブロック図である。なお、図５においては、基地局１００が移動局との間で無線通信を行うための構成や、上位装置との間で通信を行うための構成については記載を省略している。
【００２９】
図５に示す基地局１００は、通信部１０１と、制御部１０２と、を有する。
【００３０】
通信部１０１は、Ｘ２インタフェースを介して、他の基地局１００と通信を行う。
【００３１】
制御部１０２は、基地局１００が管理するセルにＰＣＩを割り当てる。また、制御部１０２は、基地局１００が管理するセルに割り当てたＰＣＩを示すセル情報を、そのセルの隣接セルを管理する周辺基地局に通信部１０１を介して出力するとともに、周辺基地局からのセル情報の入力を受ける。
【００３２】
また、制御部１０２は、管理するセルに新たにＰＣＩを割り当てる場合、そのＰＣＩの割り当ての可否の判定を要求する判定要求を周辺基地局に通知し、判定要求に対する判定要求応答として、そのＰＣＩの割り当てを許可する旨を示す判定要求応答が周辺基地局から通知されると、そのＰＣＩを管理するセルに割り当てる。
【００３３】
また、制御部１０２は、他の基地局１００から、その基地局１００が管理するセルへのＰＣＩの割り当ての可否判定を要求する旨が通知されると、そのＰＣＩの割り当てを許可するか否かを判定し、判定結果を判定要求の要求元の基地局１００に通知する。
【００３４】
次に、基地局１００の動作について説明する。
【００３５】
なお、以下では、図１に示すように、ＰＣＩが割り当てられた複数のセル（セル＃１〜＃１８）が配置されている状態で、セル＃１９を新たに配置する場合、あるいは、セル＃１〜＃１９が既に配置済みである状態で、セル＃１９のＰＣＩを変更する場合、を例として説明する。この場合、セル＃１９を管理する基地局１００が新設／変更基地局であり、セル＃１９に隣接するセル＃１〜＃６を管理する基地局１００が周辺基地局である。
【００３６】
図６は、基地局１００の動作を示すシーケンス図である。
【００３７】
周辺基地局の制御部１０２は、管理するセルの隣接セルを管理する基地局から、その隣接セルに割り当てられたＰＣＩを示すセル情報を取得している（ステップＳ１０１）。なお、セル情報の取得は、既存のＸ２インタフェースを介した、ｅＮＢ  Ｃｏｎｆｉｇｕｒａｔｉｏｎ  Ｕｐｄａｔｅメッセージの送受信により行われる。
【００３８】
周辺基地局の制御部１０２は、新設／変更基地局からのセル＃１９の隣接セルについての問い合わせを受け付けると、取得しているセル情報に基づいて、管理するセルの隣接セルに割り当てられたＰＣＩを示す隣接セルリストを作成し、新設／変更基地局に出力する（ステップＳ１０２）。
【００３９】
新設／変更基地局の制御部１０２は、隣接セルリストに基づいて、ＰＣＩの割り当て対象セルに割り当てるＰＣＩの候補を決定する（ステップＳ１０３）。なお、制御部１０２は、隣接セルリストに示されるＰＣＩ以外のＰＣＩを、割り当て候補のＰＣＩとして決定する。以下では、制御部１０２は、ＰＣＩ＃Ａを割り当て候補として決定したものとする。
【００４０】
次に、新設／変更基地局の制御部１０２は、割り当て候補として決定したＰＣＩ（ＰＣＩ＃Ａ）の割り当て可否の判定要求を、通信部１０１を介して周辺基地局に出力する（ステップＳ１０４）。
【００４１】
周辺基地局の制御部１０２は、ＰＣＩ＃Ａの割り当て可否の判定要求が出力されると、管理するセルの隣接セルにおけるＰＣＩ＃Ａの割り当て状況を確認し（ステップＳ１０５）、ＰＣＩ＃Ａの割り当ての可否を判定する。具体的には、制御部１０２は、ＰＣＩ＃Ａが隣接セルに割り当てられておらず、また、ＰＣＩ＃Ａの割り当てが予約されていない場合、ＰＣＩ＃Ａの割り当てを許可する。すなわち、制御部１０２は、割り当ての可否の判定が要求されたＰＣＩ＃Ａが、管理するセルの隣接セルのセル情報に示されるＰＣＩ、および、判定要求の要求元以外の基地局１００から割り当て可否の判定が要求されているＰＣＩと一致しない場合には、ＰＣＩ＃Ａの割り当てを許可する。なお、制御部１０２は、ＰＣＩ＃Ａの割り当て可否の判定要求を出力した基地局１００以外の他の基地局１００からの、ＰＣＩ＃Ａの割り当て可否の判定要求の出力の有無により、ＰＣＩ＃Ａの割り当てが予約されていないか否かを確認することができる。
【００４２】
以下では、周辺基地局が管理するセルの隣接セルにＰＣＩ＃Ａが割り当てられておらず、また、ＰＣＩ＃Ａの割り当てが予約されていないとする。
【００４３】
周辺基地局の制御部１０２は、ＰＣＩ＃Ａの割り当てを許可すると、ＰＣＩ＃Ａの割り当てを予約し（ステップＳ１０６）、ＰＣＩ＃Ａの割り当てを許可する旨（割り当てＯＫ）を示す判定要求応答を、新設／変更基地局に出力する（ステップＳ１０７）。
【００４４】
新設／変更基地局の制御部１０２は、ＰＣＩ＃Ａの割り当てを許可する旨を示す判定要求応答が全ての周辺基地局から出力されると、ＰＣＩ＃Ａを割り当て対象セルに割り当て（ステップＳ１０８）、ＰＣＩ＃Ａを割り当て対象セル（セル＃１９）に割り当てた旨を示すＰＣＩ割り当て通知を周辺基地局に出力する（ステップＳ１０９）。なお、ＰＣＩ割り当て通知は、既存のＸ２インタフェースを介した、ｅＮＢ  Ｃｏｎｆｉｇｕｒａｔｉｏｎ  Ｕｐｄａｔｅメッセージの送受信により行われる。
【００４５】
周辺基地局の制御部１０２は、ＰＣＩ＃Ａをセル＃１９に割り当てた旨を示すＰＣＩ割り当て通知が出力されると、セル＃１９のセル情報を更新し（ステップＳ１１０）、ＰＣＩ＃Ａの予約を解除して（ステップＳ１１１）、処理を終了する。
【００４６】
次に、割り当て候補のＰＣＩの割り当てが周辺基地局により許可されなかった場合の動作について、図７を参照して説明する。なお、図７において、図６と同様の処理については同じ符号を付し、説明を省略する。
【００４７】
周辺基地局の制御部１０２は、管理するセルの隣接セルにＰＣＩ＃Ａが割り当てられている、あるいは、ＰＣＩ＃Ａの割り当てが予約されている場合、ＰＣＩ＃Ａの割り当てを許可しないと判定し、ＰＣＩ＃Ａの割り当てを許可しない旨（割り当てＮＧ）を示す判定要求応答を出力する（ステップＳ２０１）。
【００４８】
新設／変更基地局の制御部１０２は、ＰＣＩ＃Ａの割り当てを許可しない旨を示す判定要求応答が周辺基地局から出力されると、再度、隣接セルリストに基づいて、割り当て候補のＰＣＩを決定する（ステップＳ２０２）。ここで、制御部１０２は、ＰＣＩ＃Ａを除いて、割り当て候補のＰＣＩの候補を決定する。以下では、制御部１０２は、ＰＣＩ＃Ｂを割り当て候補として決定したものとする。
【００４９】
次に、新設／変更基地局の制御部１０２は、ＰＣＩ＃Ｂの割り当て可否の判定要求を周辺基地局に出力する（ステップＳ２０３）。
【００５０】
周辺基地局の制御部１０２は、ＰＣＩ＃Ｂの割り当て可否の判定要求が出力されると、管理するセルの隣接セルにおけるＰＣＩ＃Ｂの割り当て状況を確認し（ステップＳ２０４）、ＰＣＩ＃Ｂの割り当ての可否を判定する。以下では、周辺基地局が管理するセルの隣接セルにＰＣＩ＃Ｂが割り当てられておらず、また、ＰＣＩ＃Ｂの割り当てが予約されていないとする。
【００５１】
周辺基地局の制御部１０２は、周辺基地局が管理するセルの隣接セルにＰＣＩ＃Ｂが割り当てられておらず、また、ＰＣＩ＃Ｂの割り当てが予約されていない場合、ＰＣＩ＃Ｂの割り当てを許可すると判定し、ＰＣＩ＃Ｂの割り当てを予約するとともに（ステップＳ２０５）、ＰＣＩ＃Ｂの割り当てを許可する旨を示す判定要求応答を出力する（ステップＳ２０６）。
【００５２】
新設／変更基地局の制御部１０２は、ＰＣＩ＃Ｂの割り当てを許可する旨を示す判定要求応答が全ての周辺基地局から出力されると、ＰＣＩ＃Ｂを割り当て対象セルに割り当て（ステップＳ２０７）、ＰＣＩ＃Ｂを割り当て対象セル（セル＃１９）に割り当てた旨を示すＰＣＩ割り当て通知を周辺基地局に出力する（ステップＳ２０８）。
【００５３】
周辺基地局の制御部１０２は、ＰＣＩ＃Ｂをセル＃１９に割り当てた旨を示すＰＣＩ割り当て通知が出力されると、セル＃１９のセル情報を更新し（ステップＳ２０９）、ＰＣＩ＃Ｂの予約を解除して（ステップＳ２１０）、処理を終了する。
【００５４】
次に、割り当て候補のＰＣＩの割り当てが、ある周辺基地局により許可され、別の周辺基地局により許可されなかった場合の動作について、図８を参照して説明する。なお、図８において、図６および図７と同様の処理については同じ符号を付し、説明を省略する。
【００５５】
新設／変更基地局の制御部１０２は、ある周辺基地局からはＰＣＩ＃Ａの割り当てを許可する旨を示す判定要求応答が出力されても、別の周辺基地局からＰＣＩ＃Ａの割り当てを許可する旨を示す判定要求応答が出力されると（ステップＳ３０１）、再度、隣接セルリストに基づいて、割り当て候補のＰＣＩを決定する（ステップＳ３０２）。ここで、制御部１０２はＰＣＩ＃Ａを除いて、割り当て候補のＰＣＩを決定する。以下では、制御部１０２は、ＰＣＩ＃Ｂを割り当て候補として決定したものとする。
【００５６】
次に、新設／変更基地局の制御部１０２は、ＰＣＩ＃Ｂの割り当て可否の判定要求を周辺基地局に出力する（ステップＳ３０３）。
【００５７】
周辺基地局の制御部１０２は、ＰＣＩ＃Ｂの割り当て可否の判定要求が出力されると、管理するセルの隣接セルにおけるＰＣＩ＃Ｂの割り当て状況を確認し（ステップＳ３０４）、ＰＣＩ＃Ｂの割り当ての可否を判定する。以下では、周辺基地局が管理するセルの隣接セルにＰＣＩ＃Ｂが割り当てられておらず、また、ＰＣＩ＃Ｂの割り当てが予約されていないとする。
【００５８】
周辺基地局の制御部１０２は、周辺基地局が管理するセルの隣接セルにＰＣＩ＃Ｂが割り当てられておらず、また、ＰＣＩ＃Ｂの割り当てが予約されていない場合、ＰＣＩ＃Ｂの割り当てを許可すると判定し、ＰＣＩ＃Ａの予約を解除するとともに（ステップＳ３０５）、ＰＣＩ＃Ｂの割り当てを予約する（ステップＳ３０６）。
【００５９】
次に、周辺基地局の制御部１０２は、ＰＣＩ＃Ｂの割り当てを許可する旨を示す判定要求応答を出力する（ステップＳ３０７）。
【００６０】
新設／変更基地局の制御部１０２は、ＰＣＩ＃Ｂの割り当てを許可する旨を示す判定要求応答が全ての周辺基地局から出力されると、ＰＣＩ＃Ｂを割り当て対象セルに割り当て（ステップＳ３０８）、ステップＳ２０８の処理に進む。
【００６１】
次に、無線通信システム１０におけるセルへのＰＣＩの割り当て例について説明する。
【００６２】
図９は、本実施形態の無線通信システム１０における、複数のセルへのＰＣＩの割り当ての一例を示す図である。なお、図９においては、セル＃１〜＃１８それぞれにＰＣＩが割り当てられている状態から、セル＃１９を新たに配置した場合、あるいは、既にセル＃１９が配置済みであり、セル＃１９に割り当てるＰＣＩを変更する場合を例として説明する。したがって、セル＃１９が割り当て対象セルであり、セル＃１９を管理する基地局１００が新設／変更基地局であり、セル＃１９に隣接するセル＃１〜＃６を管理する基地局１００が周辺基地局である。
【００６３】
また、図９においては、いずれの基地局においても、ＰＣＩ＃１８の割り当てが予約されていないものとする。
【００６４】
セル＃１〜＃６を管理する基地局１００はそれぞれ、管理するセルの隣接セルのセル情報を取得している。
【００６５】
セル＃１〜＃６を管理する基地局１００はそれぞれ、セル＃１９の隣接セルについての問い合わせを、セル＃１９を管理する基地局１００から受け付けると、取得しているセル情報に基づいて隣接セルリストを作成し、セル＃１９を管理する基地局１００に出力する。したがって、セル＃１９の隣接セル（セル＃１〜＃６）、および、その隣接セルの隣接セル（セル＃７〜＃１８）に割り当てられたＰＣＩ（ＰＣＩ＃０〜＃１７）は、セル＃１〜＃６を管理する基地局１００それぞれから出力された隣接セルリストのいずれかに含まれる。
【００６６】
セル＃１９を管理する基地局１００は、隣接セルリストに含まれていないＰＣＩ＃１８を割り当て候補として決定し、ＰＣＩ＃１８の割り当て可否の判定要求を周辺基地局に出力する。
【００６７】
セル＃１〜＃６それぞれの隣接セルにＰＣＩ＃１８が割り当てられていない。また、上述したように、いずれの基地局においても、ＰＣＩ＃１８の割り当ては予約されていない。そのため、セル＃１〜＃６を管理する基地局１００はそれぞれ、ＰＣＩ＃１８の割り当てを許可する旨を示す判定要求応答を、セル＃１９を管理する基地局１００に出力する。
【００６８】
セル＃１９を管理する基地局１００は、全ての周辺基地局から、ＰＣＩ＃１８の割り当てを許可する旨を示す判定要求応答が出力されると、セル＃１８をセル＃１９に割り当てる。
【００６９】
図１０は、無線通信システム１０における、複数のセルへのＰＣＩの割り当ての他の例を示す図である。図１０においては、図９と比較して、セル＃１８に隣接するセル＃２０が追加されている。ここで、セル＃２０には、セル＃１８と同じＰＣＩ＃１７が割り当てられているものとする。
【００７０】
また、セル＃１８を管理する基地局１００は、セル＃１８とセル＃２０との間でＰＣＩ競合が起こっているため、セル＃１８に割り当てるＰＣＩをＰＣＩ＃１７からＰＣＩ＃１８に変更するために、ＰＣＩ＃１８の割り当て可否の判定要求を、セル＃１８に隣接するセル#６を管理する基地局１００などに出力しているものとする。
【００７１】
ＰＣＩ＃１８の割り当て可否の判定要求がセル＃１８を管理する基地局１００から出力されると、セル#６を管理する基地局１００は、セル＃６の隣接セルにＰＣＩ＃１８が割り当てられていないため、ＰＣＩ＃１８の割り当てを許可する旨を示す判定要求応答を、セル＃１８を管理する基地局１００に出力する。また、セル#６を管理する基地局１００は、ＰＣＩ＃１８の割り当てを予約する。
【００７２】
この状態で、セル＃１９を管理する基地局１００が周辺基地局から通知された隣接セルリストに含まれていないＰＣＩ＃１８を割り当て候補として決定し、ＰＣＩ＃１８の割り当て可否の判定要求を出力すると、セル＃６を管理する基地局１００は、ＰＣＩ＃１８の割り当てが予約されているため、ＰＣＩ＃１８の割り当てを許可しない旨を示す判定要求応答を、セル＃１９を管理する基地局１００に出力する。
【００７３】
セル＃１９を管理する基地局１００は、ＰＣＩ＃１８の割り当てを許可しない旨を示す判定要求応答が出力されたため、再度、割り当て候補のＰＣＩを決定する。ここで、セル＃１９を管理する基地局１００は、隣接セルリストに含まれるＰＣＩおよびＰＣＩ＃１８以外の、例えば、ＰＣＩ＃１９を割り当て候補のＰＣＩとして決定する。
【００７４】
次に、セル＃１９を管理する基地局１００は、ＰＣＩ＃１９の割り当て可否の判定要求を周辺基地局に出力する。
【００７５】
セル＃１〜＃６それぞれの隣接セルにＰＣＩ＃１９が割り当てられていない。いずれの基地局においても、ＰＣＩ＃１９の割り当ては予約されていない。そのため、セル＃１〜＃６を管理する基地局１００はそれぞれ、ＰＣＩ＃１９の割り当てを許可する旨を示す判定要求応答を、セル＃１９を管理する基地局１００に出力する。
【００７６】
セル＃１９を管理する基地局１００は、全ての周辺基地局から、ＰＣＩ＃１９の割り当てを許可する旨を示す判定要求応答が出力されると、セル＃１８をセル＃１９に割り当てる。
【００７７】
ここで、セル＃１９を管理する基地局１００が割り当て候補として決定したＰＣＩ＃１８の割り当ての可否を周辺基地局に確認することなく、セル＃１９に割り当ててしまうと、セル＃１８とセル＃１９との間でＰＣＩ競合が起こってしまう。しかし、本実施形態のように、割り当て対象セルを管理する基地局１００が、割り当て候補のＰＣＩの割り当ての可否の判定要求を周辺基地局に出力し、周辺基地局が、管理するセルの隣接セルにおけるＰＣＩの割り当て状況に基づいて、割り当ての可否を判定することで、ＰＣＩ競合が起こる可能性を低減することができる。
【００７８】
このように、本実施形態の無線通信システム１０によれば、基地局１００は、管理するセルにセル識別子を割り当てる場合、割り当て予定のセル識別子の割り当て可否の判定要求を周辺基地局に出力し、判定要求に応じて、割り当て予定のセル識別子の割り当てを許可する旨が周辺基地局から出力されると、割り当て予定のセル識別子を管理するセルに割り当てる。また、基地局１００は、周辺基地局から割り当て予定のセル識別子の割り当て可否の判定要求が出力されると、管理するセルの隣接セルへのセル識別子の割り当て状況に応じて、割り当て予定のセル識別子の割り当ての可否を判定し、判定結果を要求元の基地局１００に出力する。
【００７９】
そのため、ＰＣＩ競合が起こる可能性を低減することができる。
【００８０】
以上、実施形態を参照して本願発明を説明したが、本発明は上記実施形態に限定されるものではない。本願発明の構成や詳細には、本願発明の範囲内で当業者が理解し得る様々な変更をすることができる。
【００８１】
この出願は、２０１３年５月２９日に出願された日本出願２０１３−１１２６３２を基礎とする優先権を主張し、その開示の全てをここに取り込む。
【図１】
2014192192.tif 000003
【図２】
2014192192.tif 000004
【図３】
2014192192.tif 000005
【図４】
2014192192.tif 000006
【図５】
2014192192.tif 000007
【図６】
2014192192.tif 000008
【図７】
2014192192.tif 000009
【図８】
2014192192.tif 000010
【図９】
2014192192.tif 000011
【図１０】
2014192192.tif 000012
【国際調査報告】
2014192192.tif 000013
2014192192.tif 000014